(57)【要約】【課題】  収納と搬出の各動作の信頼性向上を図るようにした紙葉類収納装置を提供する。【解決手段】  衝立板２３Ｌ，２３Ｒは、プッシャ４が所定の低位レベルに位置したとき、その上方に形成される紙幣３を集積するための空間１０Ｈの搬入方向長さＬ１を規定する。また、紙幣３の搬入方向長さをＬｐ（これは、紙幣３の短辺長さに等しい。）とすると、衝立板２３Ｌ，２３Ｒは空間１０Ｈの搬入方向長さＬ１がＬｐよりも短くなる（Ｌ１＜Ｌｐ）位置に、紙幣３の搬入方向と垂直に設けられる。さらに、この実施の形態１では、空間１０Ｈの対角長さＬ２が、紙幣３の搬入方向長さＬｐと等しいか、あるいは短くなる（Ｌ２≦Ｌｐ）ように、プッシャ４の低位レベルが決定される。【選択図】  図１
2006350591.tif 000002
【特許請求の範囲】
【請求項１】
搬入された紙葉類を積層収納するとともに、指令に基づいてその積層収納部から前記紙葉類を搬出する紙葉類収納装置において、
前記紙葉類を双方向に搬送する搬送路と、
前記搬送路に平行なＵ字面を有し、このＵ字面と直角に所定の低位レベルから所定の高位レベルの間を往復移動する前記紙葉類の受板を兼用する板状のプッシャと、
前記プッシャに向かって付勢されながら前記紙葉類を積層して収納するとともに、前記プッシャに平行な状態で前記プッシャに対して直交方向に移動可能に案内される底板と、
前記プッシャのＵ字面上に搬入方向と垂直に設けられ、前記プッシャが所定の低位レベルに位置したとき、その上方に形成される前記搬入された紙葉類の集積空間の搬入方向長さを規定する一対の衝立板と、
を備え、
前記紙葉類の搬入方向長さＬｐに対して、前記集積空間の搬入方向長さＬ１が、
Ｌ１＜Ｌｐ
に構成されていることを特徴とする紙葉類収納装置。
【請求項２】
前記紙葉類の搬入方向長さＬｐに対して、前記集積空間の対角長さＬ２が、
Ｌ２≦Ｌｐ
に構成されていることを特徴とする請求項１記載の紙葉類収納装置。
【請求項３】
前記衝立板は、前記プッシャのＵ字面上に回転自在に支持されるとともに、前記集積空間の側板に形成されたガイド溝によって、前記プッシャが所定の低位レベルに位置しているときには、前記衝立板が前記紙葉類の搬入方向と垂直に保持され、前記プッシャが所定の高位レベルヘ移動したときには、前記衝立板が前記プッシャのＵ字面と平行に位置するように案内されることを特徴とする請求項１記載の紙葉類収納装置。
【請求項４】
前記搬送路は、
低位のゲートロールと、
前記ゲートロールと対をなして双方向に回転する搬入・搬出兼用の前段送りロールと、
前記前段送りロールの後段に設けられ、前記前段送りロールと同期して回転する収納補助・搬出兼用の後段送りロールと、
前記ゲートロールとほぼ同軸にかつ隣接して設けられ、前記前段送りロールの回転方向と逆回転する弾性羽根が放射状に設けられた羽根車と、
を備えたことを特徴とする請求項１記載の紙葉類収納装置。
【発明の詳細な説明】
【技術分野】
【０００１】
本発明は、紙幣などの紙葉類が搬送される搬送路の一端に紙葉類収納部を設け、紙葉類を紙葉類収納部へ搬入して積層収納し、かつ搬送路を介して紙葉類収納部に収納されている紙葉類を外部へ搬出するようにした紙葉類収納装置に関し、とくに折り癖やカールした状態で搬入されてきた紙幣であっても確実に収納することができる紙葉類収納装置に関する。
【背景技術】
【０００２】
紙葉類たとえば紙幣の自動的な預け入れ、もしくは払い出しなどに利用される紙幣自動預金／支払い機においては、預け入れの際に紙幣を選択的に収納部に搬入するとともに、払い出しの際には収納部から収納されている紙幣を搬出する動作を行う紙葉類収納装置が備えられている。ここで、従来の紙葉類収納装置の構成例について説明する。
【０００３】
この従来装置の主要部は、後述する発明に係わる紙葉類収納装置においてそのまま利用されるものであるため、図１７ないし図２７を参照しながら以下に詳しく説明する。なお、この従来装置は、紙幣の預け入れと払い出し、あるいは両替などに用いられる紙幣入出金機として構成されたものである。初めに、図１７に示す紙幣収納の直前の側断面図と、同じく図１８ないし図２１に示すその平面図やその他の断面図を補助的に参照しながら、従来の紙葉類収納装置の構成について説明する。図１９は図１７におけるａ−ａ矢視断面、図２０は図１７における右側面構成、図２１は図１７におけるｂ−ｂ矢視断面を示す図である。
【０００４】
図１７に示す紙葉類収納装置には、そこに搬入された紙葉類として、底板１上に載置され、パンタグラフ機構２によって上下方向に平行移動可能に積層された紙幣３が収納されている。底板１は、図示を省略したバネにより上方に付勢されるとともに、その上の紙幣３は、上方からプッシャ４により底板１側に押し付けられる。
【０００５】
プッシャ４は、左右のプッシャアーム４Ｌ，４Ｒを備えた平面視でＵ字形の外形をなす板状部材であって、ガイド軸５に沿って上下方向に案内される。このプッシャ４は、図示を省略したモータ等により駆動され、プッシャアーム４Ｌ，４Ｒによって底板１との間で積層収納された紙幣３の両端部分を挟圧した状態で上下方向に平行移動可能であり、そのガイド軸５が筐体６の背面側に設けられている。なお、筐体６のベース６Ｂには、パンタグラフ機構２が固定されている。
【０００６】
筐体６には、上下の各ガイド板７Ａ，８Ａによって紙幣通路９が形成され、搬送されてきた紙幣を一時的に積層するための空間１０Ｈが、ガイド板７Ｂとプッシャ４の間に形成されている。紙幣通路９は、筐体６の内部の空間１０Ｈまで紙幣３を搬入し、あるいは空間１０Ｈから紙幣３を搬出するようになっている。紙幣通路９の上方の中央部分は、上ガイド板７Ａと一体のガイド板７Ｂによって区切られており、左右部分には左右のプッシャアーム４Ｌ，４Ｒを上方に案内するためのプッシャ上昇空間１０Ｌ，１０Ｒが形成されている。プッシャ上昇空間１０Ｌ，１０Ｒは、それぞれ筐体６の上蓋６Ａで覆われている。また、筐体６の紙幣通路９を挟んで各ガイド板７Ａ，８Ａの上下には、それぞれ回転軸１１Ａ，１１Ｂおよび１２Ａ、この回転軸１２Ａと一体に回転する軸１２Ｌ，１２Ｒおよび１３などが搬送方向と直交して設けられている。なお、図１７の右側から挿入される紙幣３は、その長辺の一端から紙幣通路９に横向き水平状態で投入されるものとする。
【０００７】
図１８には、これらの回転軸１１Ａ，１２Ａおよび軸１３などの位置関係が示されている。このうち、紙幣通路９の紙幣挿入口に近い側の回転軸１１Ａ，１１Ｂには、それぞれ左、中、および右の搬送ローラ１４Ａ〜１４Ｃ、および搬送ローラ１４Ｄ〜１４Ｆが設けられており、回転軸１２Ａと軸１３には、それぞれ左右に異なる間隔で前段搬送ローラ１５Ａ，１５Ｂ、および後段搬送ローラ１６Ａ，１６Ｂが設けられている。また、回転軸１２Ａにはプーリ１７Ａが、軸１３にはプーリ１７Ｂがそれぞれ設けられ、その間にベルト１８が巻き掛けられる。これらのプーリ１７Ａ，１７Ｂとベルト１８は、回転軸１２Ａの回転駆動力を伝達するものであって、それらの間での滑りをなくするために歯付き構造となっている。
【０００８】
図１９には、図１７におけるａ−ａ矢視断面が示されており、筐体６内の紙幣通路９の下部には軸１２Ｂが設けられている。この軸１２Ｂには、前段搬送ローラ１５Ａ，１５Ｂに対応する位置にゲートローラ１９Ａ，１９Ｂが設けられている。ここで、各ゲートローラ１９Ａ，１９Ｂにはその中心部に軸１２Ｂとの間に一方向クラッチが設けられて、紙幣３の搬入方向には回転するが、搬出方向には回転が阻止される。ゲートローラ１９Ａ，１９Ｂは、圧縮バネ１２Ｓ，１２Ｓによって軸１２Ｂとともに上方への付勢力を受けて、前段搬送ローラ１５Ａ，１５Ｂと外周面が互いに押圧接触するようになっている。
【０００９】
筐体６内には、さらにゲートローラ１９Ａ，１９Ｂの軸１２Ｂの軸線近くであって、筐体の側板６Ｌ，６Ｒ側に、それぞれ軸１２Ｌ，１２Ｒが設けられている。軸１２Ｌ，１２Ｒには同軸に回転する羽根車２０Ａ，２０Ｂが設けられ、その心棒に弾性材料からなる帯体状の４枚の羽根２１が放射状に配設されている。これらの軸１２Ｌ，１２Ｒは、それぞれギヤ２２Ａ，２２Ｃの組と、ギヤ２２Ｂ，２２Ｄの組を介して、前段搬送ローラ１５Ａ，１５Ｂの回転軸１２Ａと同期して回転するように構成されている。なお、羽根車２０Ａ，２０Ｂの軸１２Ｌ，１２Ｒは、ゲートローラ１９Ａ，１９Ｂの軸１２Ｂと同軸に近いことが好ましいが、必ずしも同軸である必要はない。
【００１０】
図２０、図２１には、それぞれ図１７における右側面構成、および図１７におけるｂ−ｂ矢視断面が示されている。プッシャ４の上方には、紙幣通路９から搬入された紙幣が一時的に載置集積される空間１０Ｈが形成されている。ガイド板７Ｂは、上ガイド板７Ａの一部として空間１０Ｈの天井部を構成しており、後段搬送ローラ１６Ａ，１６Ｂは、その外周面の下側の一部がガイド板７Ｂより下方にわずかに突出するように配置されている。詳しくは後述するが、パンタグラフ機構２によって積層収納された紙幣３が上方に移動したとき、ガイド板７Ｂの下面に押し付けられた紙幣３を収納側へ移し替え、あるいは紙幣通路９によって搬出することができる。
【００１１】
つぎに、図２２と図２３を参照しながら、紙葉類収納装置における筐体６内への紙幣搬入動作について説明する。
ここでは、最初にプッシャ４が低位レベルに位置決めされた状態で、ガイド板７Ｂとの間に形成された空間１０Ｈに紙幣Ｐａが送り込まれてくる。すなわち、紙幣Ｐａが紙幣通路９の右側開口部から挿入され、搬入方向に回転する各搬送ローラ１４Ａ〜１４Ｆと前段搬送ローラ１５Ａ，１５Ｂとゲートローラ１９Ａ，１９Ｂの組によって、筐体６の内部に送り込まれ、プッシャ４の上面に一時的に載置集積される。このとき、羽根車２０Ａ，２０Ｂの羽根２１がプッシャ４上に載置集積された紙幣Ｐａの後端を下方に叩き込むことにより、続いて空間１０Ｈへ搬入されてくる紙幣Ｐａの浸入を妨げないようにしている。また、既に底板１上に積層収納された紙幣３は、プッシャ４によってパンタグラフ機構２の付勢のもとに挟圧されている。
【００１２】
つぎに、図２４ないし図２７を参照しながら、紙幣搬入に続く収納動作について説明する。
プッシャ４は、紙幣３の搬入終了段階では低位レベルに位置し、このプッシャ４上に新たに搬入された一取引分の紙幣Ｐａが載置集積されている（図２２、図２３）。プッシャ４がガイド軸５に沿って上方に駆動されると、左右のプッシャアーム４Ｌ，４Ｒは搬入された紙幣Ｐａを上側から下側に移しながら上昇する（図２４、図２５）。プッシャ４が高位レベルで停止したときには、搬入された紙幣Ｐａがそれまで積層収納されていた紙幣３と合流して、一体となった紙幣３が底板１とガイド板７Ｂに挟圧される（図２６、図２７）。
【００１３】
その後、底板１とともにプッシャ４が再び低位レベルに復帰し、搬入された紙幣Ｐａ分を加えた形で新たな積層収納状態となった紙幣３の収納動作が終了して、この状態でつぎに搬入される紙幣Ｐａを待つことになる（図１７、図２１）。
【００１４】
つぎに、図２６を参照しながら、紙葉類収納装置からの紙幣搬出について説明する。
図２６はプッシャが高位レベルに達した状態を示す側断面図である。このとき、プッシャ４が高位レベルで位置決めされ、搬出方向に回転する後段搬送ローラ１６Ａ，１６Ｂと前段搬送ローラ１５Ａ，１５Ｂと、各搬送ローラ１４Ａ〜１４Ｆとによって紙幣通路９の右側開口部から指令枚数だけ搬出される。なお、搬出時にゲートローラ１９Ａ，１９Ｂは回転しないで停止することで、搬出される紙幣３の枚数が１枚ずつに制限される。
【特許文献１】特開２００１−３４８１５６号公報（段落番号［０００２］〜［００１８］）
【発明の開示】
【発明が解決しようとする課題】
【００１５】
以上に述べたように、従来装置では搬入される紙幣Ｐａをプッシャ４上に載置集積する際に、図２２に示すように、紙幣Ｐａの後端を左右の羽根車２０Ａ，２０Ｂの羽根２１で下方に叩き込むようにしている。これにより、次々と紙幣通路９から空間１０Ｈへ搬入されてくる紙幣３の進入が妨げられないように構成される。
【００１６】
しかしながら、たとえば図２８に示すような折り癖の強い変形紙幣Ｐｂが搬入された場合には、プッシャ４上に載置集積された変形紙幣Ｐｂの後端に羽根車２０Ａ，２０Ｂの羽根２１が届かなくなって、空間１０Ｈの下方に叩き込めない事態が生じる。これは、搬入された紙幣Ｐａを一時的に集積するための空間１０Ｈが、その搬入方向長さＬ１を紙幣３の搬入方向長さＬｐよりも若干大きく形成されているので、プッシャ４上に載置集積された変形紙幣Ｐｂが折れ曲がっていることで、その搬入方向長さＬｐ’がＬｐよりも大幅に小さいときには、羽根車２０Ａ，２０Ｂの羽根２１が変形紙幣Ｐｂの後端に届かなくなるからである。
【００１７】
したがって、こうした事態が生じたときには、図２９に示すように、つぎに搬入される紙幣Ｐａが空間１０Ｈに進入し、その先端が変形紙幣Ｐｂの後端に衝突することで、紙幣のジャミングが発生する。そして、空間１０Ｈでのジャミングは、以降の紙幣収納と搬出の各動作に対する阻害要因になるおそれがあった。
【００１８】
本発明はこのような点に鑑みてなされたものであり、収納と搬出の各動作の信頼性向上を図るようにした紙葉類収納装置を提供することを目的とする。
【課題を解決するための手段】
【００１９】
本発明では、上記問題を解決するために、搬入された紙葉類を積層収納するとともに、指令に基づいてその積層収納部から前記紙葉類を搬出する紙葉類収納装置において、前記紙葉類を双方向に搬送する搬送路と、前記搬送路に平行なＵ字面を有し、このＵ字面と直角に所定の低位レベルから所定の高位レベルの間を往復移動する前記紙葉類の受板を兼用する板状のプッシャと、前記プッシャに向かって付勢されながら前記紙葉類を積層して収納するとともに、前記プッシャに平行な状態で前記プッシャに対して直交方向に移動可能に案内される底板と、前記プッシャのＵ字面上に搬入方向と垂直に設けられ、前記プッシャが所定の低位レベルに位置したとき、その上方に形成される前記搬入された紙葉類の集積空間の搬入方向長さを規定する一対の衝立板と、を備え、前記紙葉類の搬入方向長さＬｐに対して、前記集積空間の搬入方向長さＬ１が、Ｌ１＜Ｌｐに構成されていることを特徴とする紙葉類収納装置が提供される。
【発明の効果】
【００２０】
本発明によれば、折り癖の強い変形紙幣が搬入されることに対して、プッシャ上に設けた衝立板によって集積空間の搬入方向長さを紙幣長さよりも小さくする、または、集積空間の対角長さを紙幣長さと等しいかもしくは小さくすることにより、折り癖の強い変形紙幣でもその後端を羽根車で叩き込めるようにした。これにより、次の搬入紙幣がプッシャ上の載置紙幣の後端に衝突するおそれが低減するためにジャミングなどの発生が防止されるから、紙幣の収納と搬出の各動作に対する信頼性向上が図られることになる。
【００２１】
また、衝立板をプッシャ上で折り畳みできる構造とすることにより、装置の高さ寸法の大型化を抑えることができる。
【発明を実施するための最良の形態】
【００２２】
以下、図面を参照してこの発明の実施の形態について説明する。なお、従来の紙葉類収納装置での構成要素と同一の要素については、同一の符号を付してその詳細な説明を省略し、特徴的な部分についてのみ説明する。
【００２３】
（実施の形態１）
図１は、実施の形態１に係る紙葉類収納装置を示す側断面図である。この実施の形態は、従来例と同様に紙幣の預け入れ・払い出しや、両替などに用いられる紙幣入出金機として構成される。初めに、図１に示す紙幣収納の直前を示す側断面図と、同じく図２に示すそのｆ−ｆ矢視断面を示す図を参照しながら、この紙葉類収納装置の構成について説明する。
【００２４】
この紙葉類収納装置は、図１に示されるように、筐体６内に紙幣が搬送される紙幣通路９と、紙幣通路９の一端部に設けられて紙幣を収納する空間１０Ｈとが構成されている。また、この空間１０Ｈ内の下部には、図示が省略される昇降用モータによって昇降可能に配置されて表面が互いに接触されて積み重ねられた状態の紙幣３の最下部を支持する底板１が設けられている。ここで、筐体６内に投入される紙幣３は、横長の水平状態で長辺の一端側から紙幣通路９に挿入される。
【００２５】
図１において実施の形態１に特有な部材は、プッシャ４の左右のプッシャアーム４Ｌ，４Ｒ上にそれぞれ設けられた一対の衝立板２３Ｌ，２３Ｒである。これらの衝立板２３Ｌ，２３Ｒは、プッシャ４が所定の低位レベルに位置したとき、その上方に形成される紙幣３を集積するための空間１０Ｈの搬入方向長さＬ１を規定するものである。なお、衝立板２３Ｌ，２３Ｒの高さは、プッシャ４が低位レベルに位置決めされた状態で、ガイド板７Ｂによって規定される空間１０Ｈの高さＬ３を超えるものとする。
【００２６】
いま、図１の右側から挿入される紙幣３の搬入方向長さをＬｐ（これは、紙幣３の短辺長さに等しい。）とすると、衝立板２３Ｌ，２３Ｒは空間１０Ｈの搬入方向長さＬ１がＬｐよりも短くなる（Ｌ１＜Ｌｐ）位置に、紙幣３の搬入方向と垂直に設けられる。さらに、この実施の形態１では、空間１０Ｈの対角長さＬ２が、紙幣３の搬入方向長さＬｐと等しいか、あるいは短くなる（Ｌ２≦Ｌｐ）ように、プッシャ４の低位レベルが決定される。
【００２７】
つぎに、このように構成された実施の形態１の紙葉類収納装置において、紙幣通路９から空間１０Ｈに紙幣３を搬入するときの動作について説明する。
図３は、この紙葉類収納装置の紙葉類搬入中の状態を示す側断面図、図４は同装置の図３におけるｇ−ｇ矢視断面を示す図である。
【００２８】
まず、プッシャ４が低位レベルに位置決めされる。そのとき、ガイド板７Ｂとの間に高さＬ３の空間１０Ｈが形成されている。この状態で、紙幣通路９の右側開口部から紙幣３が挿入されると、それぞれ搬入方向に回転する各搬送ローラ１４Ａ〜１４Ｆと前段搬送ローラ１５Ａ，１５Ｂとゲートローラ１９Ａ，１９Ｂの組によって、筐体６の内部に送り込まれる。その後、空間１０Ｈに到達した紙幣Ｐａは、プッシャアーム４Ｌ，４Ｒの上面に一時的に載置集積される。このとき、衝立板２３Ｌ，２３Ｒにより空間１０Ｈの搬入方向長さＬ１が、紙幣Ｐａの搬入方向長さＬｐよりも短く（Ｌ１＜Ｌｐ）、かつ空間１０Ｈの対角長さＬ２が、紙幣Ｐａの搬入方向長さＬｐと等しいか、あるいは短く（Ｌ２≦Ｌｐ）なっている。しかも、羽根車２０Ａ，２０Ｂの羽根２１がプッシャ４上に載置集積された紙幣Ｐａの後端を下方に叩き込むことにより、続いて空間１０Ｈへ搬入されてくる紙幣Ｐａの浸入を妨げないようにしている。したがって、プッシャ４上に載置される紙幣Ｐａは、その先端を上方に向けるとともに、その後端を下方に向けた姿勢で中央部が若干湾曲するように集積される。
【００２９】
これに続く収納動作について、上述した図１、図３とともに、図５ないし図８を参照しながら説明する。図５は、この紙葉類収納装置のプッシャが中位レベルに達した状態を示す側断面図、図６は同装置の図５におけるｈ−ｈ矢視断面を示す図である。また、図７は、同装置のプッシャが高位レベルに達した状態を示す側断面図、図８は同装置の図７におけるｉ−ｉ矢視断面を示す図である。
【００３０】
筐体６内の空間１０Ｈへの紙幣搬入が終了した段階で、プッシャ４は低位レベルに位置するとともに、搬入された一取引分（図では２枚）の紙幣Ｐａはプッシャ４上に載置集積されている（図３、図４参照）。ついで、プッシャ４がガイド軸５に沿って上方に駆動されると、左右のプッシャアーム４Ｌ，４Ｒは搬入された紙幣Ｐａを上側から下側に移しながら、空間１０Ｈを上昇する（図５、図６参照）。さらにプッシャ４が上昇して、所定の高位レベルで停止すると、搬入された紙幣Ｐａがそれまで積層収納されていた紙幣３と合流し、一体となった紙幣３が底板１とガイド板７Ｂに挟圧される（図７、図８参照）。このとき筐体６は、衝立板２３Ｌ，２３Ｒの高さに応じて、空間１０Ｈの左右上方に形成されるプッシャ上昇空間１０Ｌ，１０Ｒを高く構成しておく必要がある。
【００３１】
その後、底板１とともにプッシャ４が再び低位レベルに復帰したとき、搬入された紙幣Ｐａ分を加えた形で新たな積層収納状態となって紙幣３の収納動作が終了し、この状態でつぎに搬入される紙幣Ｐａを待つことになる（図１、図２参照）。
【００３２】
ここで、実施の形態１の紙葉類収納装置に折り癖の強い変形紙幣が搬入された場合について、図９と図１０を参照して説明する。図９には、折り癖の強い変形紙幣がプッシャアーム４Ｌ，４Ｒの上方に載置集積されている状態を示している。
【００３３】
このとき、空間１０Ｈの搬入方向長さＬ１を衝立板２３Ｌ，２３Ｒにより、紙幣３の搬入方向長さＬｐよりも小さくなるようにしているため、プッシャ４上に載置集積された変形紙幣Ｐｂのように、その搬入方向長さＬｈが通常の紙幣長さＬｐよりも小さい場合でも、その後端は、羽根車２０Ａ，２０Ｂの羽根２１によって空間１０Ｈの下方に充分に叩き込める位置にくる。
【００３４】
以上のような紙幣搬入動作が行われる紙葉類収納装置では、図１０に示すように、折り癖の強い変形紙幣Ｐｂであっても、その後端が羽根車２０Ａ，２０Ｂによって下方に叩き込むことができるため、次々と紙幣通路９から空間１０Ｈへ搬入されてくる紙幣３があっても、その進入を妨げないようにできる。なお、この実施の形態１では筐体６内に投入される紙幣３の向きを横長の水平状態としたが、縦長の水平状態で短辺の一端側から紙幣通路９に挿入してもよい。
【００３５】
（実施の形態２）
図１１は、実施の形態２に係る紙葉類収納装置を示す側断面図であって、同装置の図１１における右側面構成を示す図１２、および図１１におけるｊ−ｊ矢視断面を示す図１３を参照しながら、この紙葉類収納装置の構成について説明する。以下では、とくに実施の形態２に特有な部材の構成を中心に説明することとし、従来装置や実施の形態１と同じ部材については、それらに関連するものを除いて説明を省略する。
【００３６】
図１１ないし図１３において、一対の可動衝立板３０Ａ，３０Ｂがこの実施の形態２に特有な部材であって、これらはそれぞれプッシャ４の左右のプッシャアーム４Ｌ，４Ｒ上に軸４１Ａ，４１Ｂにより回転自在に支持されるものである。これらの可動衝立板３０Ａ，３０Ｂには、その上端部にそれぞれガイド軸３１Ａ，３１Ｂが設けられていて、プッシャ４が低位レベルと高位レベルとの間を移動する際に、筐体６の左右の側板６Ｌ，６Ｒにそれぞれ形成されたガイド穴６１Ａ，６１Ｂに沿ってガイド軸３１Ａ，３１Ｂが案内されるようになっている。ガイド穴６１Ａ，６１Ｂは、その上部を除いて紙幣通路９に対して直角に形成されているが、その上部では紙幣３の搬送方向へ傾斜する傾斜部および水平部が形成されている。
【００３７】
ここで、可動衝立板３０Ａ，３０Ｂの動作についてさらに詳細に説明する。プッシャ４が低位レベルに位置しているときは、図１１に示すように、空間１０Ｈの搬入方向長さＬ１が、紙幣３の搬入方向長さＬｐよりも短くなる（Ｌ１＜Ｌｐ）位置で、可動衝立板３０Ａが紙幣３の搬入方向と垂直に保持される。したがって、実施の形態１の衝立板２３Ｌ，２３Ｒと同様に、搬入方向と垂直に設けられた可動衝立板３０Ａ，３０Ｂによって、空間１０Ｈの搬入方向長さＬ１が規定されている。さらに、この実施の形態２においても、空間１０Ｈの対角長さＬ２が紙幣３の搬入方向長さＬｐと等しいか、あるいは短くなる（Ｌ２≦Ｌｐ）ように、プッシャ４の低位レベルが決定される。
【００３８】
また、プッシャ４が高位レベルに移動するときは、後述する図１６に示すように、ガイド軸３１Ａ，３１Ｂがガイド穴６１Ａ，６１Ｂに案内され、可動衝立板３０Ａ，３０Ｂがプッシャ４の上面と平行となるまで回転することによって、プッシャ４のＵ字面と平行に位置するように案内される。
【００３９】
つぎに、このように構成された実施の形態２の紙葉類収納装置において、紙幣通路９から空間１０Ｈに紙幣３を搬入するときの動作について説明する。この紙幣搬入については、実施の形態１と同様のためその説明を省略し、図１４ないし図１６により搬入された紙幣３の収納動作だけを説明する。図１４は、紙葉類搬入中の状態を示す側断面図であり、図１５、図１６には、それぞれプッシャが中位レベル、および高位レベルに達した状態を示している。
【００４０】
筐体６内の空間１０Ｈへの紙幣搬入が終了した段階で、プッシャ４は低位レベルに位置するとともに、搬入された一取引分（図では２枚）の紙幣Ｐａはプッシャ４上に載置集積されている（図１４参照）。ついで、プッシャ４がガイド軸５に沿って上方に駆動されると、左右のプッシャアーム４Ｌ，４Ｒは搬入された紙幣Ｐａを上側から下側に移しながら、空間１０Ｈを上昇する（図１５参照）。この位置での可動衝立板３０Ａ，３０Ｂは、ガイド軸３１Ａ，３１Ｂがそれぞれガイド穴６１Ａ，６１Ｂの傾斜部に沿って案内されるようになり、可動衝立板３０Ａ，３０Ｂが反時計廻り方向に若干傾斜した状態になっている。
【００４１】
プッシャ４は、さらに上昇してから所定の高位レベルで停止する。このとき、搬入された紙幣Ｐａがそれまで積層収納されていた紙幣３と合流し、一体となった紙幣３が底板１とガイド板７Ｂに挟圧される（図１６）。この状態では、可動衝立板３０Ａ，３０Ｂのガイド軸３１Ａ，３１Ｂがガイド穴６１Ａ，６１Ｂの水平部に達するから、その間に可動衝立板３０Ａ，３０Ｂがプッシャ４の上面と平行となるまで回転する。
【００４２】
以上のような紙幣搬入動作が行われる紙葉類収納装置では、プッシャ４が高位レベルに位置しているときは、可動衝立板３０Ａ，３０Ｂがプッシャ４の上面と平行に位置するようにして折り畳まれる。そのため、実施の形態１の装置とは異なり、プッシャ上昇空間１０Ｌ，１０Ｒを高く構成しておく必要がなく、筐体６の高さ寸法を従来装置と同様の寸法に抑えることができる。
【００４３】
なお、その後にプッシャ４が再び低位レベルに復帰し、搬入された紙幣Ｐａ分を加えた形で新たな積層収納状態となって、紙幣の収納動作が終了する（図１１〜図１３）。この状態で、紙葉類収納装置は次の紙幣の搬入を待つ（搬入待機）。
【図面の簡単な説明】
【００４４】
【図１】この発明の実施の形態１に係る紙葉類収納装置を示す側断面図である。
【図２】同装置の図１におけるｆ−ｆ矢視断面を示す図である。
【図３】同装置の紙葉類搬入中の状態を示す側断面図である。
【図４】同装置の図３におけるｇ−ｇ矢視断面を示す図である。
【図５】同装置のプッシャが中位レベルに達した状態を示す側断面図である。
【図６】同装置の図５におけるｈ−ｈ矢視断面を示す図である。
【図７】同装置のプッシャが高位レベルに達した状態を示す側断面図である。
【図８】同装置の図７におけるｉ−ｉ矢視断面を示す図である。
【図９】折り癖の強い変形紙幣がプッシャアームの上方に載置集積されている状態を示す側断面図である。
【図１０】折り癖が修正されつつある状態を示す側断面図である。
【図１１】この発明の実施の形態２に係る紙葉類収納装置を示す側断面図である。
【図１２】同装置の図１１における右側面構成を示す側面図である。
【図１３】同装置の図１１におけるｊ−ｊ矢視断面を示す図である。
【図１４】同装置の紙葉類搬入中の状態を示す側断面図である。
【図１５】同装置のプッシャが中位レベルに達した状態を示す側断面図である。
【図１６】同装置のプッシャが高位レベルに達した状態を示す側断面図である。
【図１７】従来の紙葉類収納装置を示す側断面図である。
【図１８】同装置の図１７における平面構成を示す平面図である。
【図１９】同装置の図１７におけるａ−ａ矢視断面を示す図である。
【図２０】同装置の図１７における右側面構成を示す側面図である。
【図２１】同装置の図１７におけるｂ−ｂ矢視断面を示す図である。
【図２２】同装置の紙葉類搬入中の状態を示す側断面図である。
【図２３】同装置の図２２におけるｃ−ｃ矢視断面を示す図である。
【図２４】同装置のプッシャが中位レベルに達した状態を示す側断面図である。
【図２５】同装置の図２４におけるｄ−ｄ矢視断面を示す図である。
【図２６】同装置のプッシャが高位レベルに達した状態を示す側断面図である。
【図２７】同装置の図２６におけるｅ−ｅ矢視断面を示す図である。
【図２８】搬入中の紙葉類に折り癖があるときの状態を示す側断面図である。
【図２９】紙葉類の折り癖による不都合な状態を示す側断面図である。
【符号の説明】
【００４５】
１  底板
２  パンタグラフ機構
３  紙幣
４  プッシャ
５  ガイド軸
６  筐体
７Ａ  上ガイド板
８Ａ  下ガイド板
９  紙幣通路
１０Ｈ  空間
１０Ｌ，１０Ｒ  プッシャ上昇空間
１１Ａ，１１Ｂ，１２Ａ  回転軸
１３  軸
１４Ａ〜１４Ｆ  搬送ローラ
１５Ａ，１５Ｂ  前段搬送ローラ
１６Ａ，１６Ｂ  後段搬送ローラ
１７Ａ，１７Ｂ  プーリ
１８  ベルト
１９Ａ，１９Ｂ  ゲートローラ
２０Ａ，２０Ｂ  羽根車
２１  羽根
２２Ａ〜２２Ｄ  ギヤ
２３Ｌ，２３Ｒ  衝立板
３０Ａ，３０Ｂ  可動衝立板
３１Ａ，３１Ｂ  ガイド軸
６１Ａ，６１Ｂ  ガイド穴
【図１】
2006350591.tif 000003
【図２】
2006350591.tif 000004
【図３】
2006350591.tif 000005
【図４】
2006350591.tif 000006
【図５】
2006350591.tif 000007
【図６】
2006350591.tif 000008
【図７】
2006350591.tif 000009
【図８】
2006350591.tif 000010
【図９】
2006350591.tif 000011
【図１０】
2006350591.tif 000012
【図１１】
2006350591.tif 000013
【図１２】
2006350591.tif 000014
【図１３】
2006350591.tif 000015
【図１４】
2006350591.tif 000016
【図１５】
2006350591.tif 000017
【図１６】
2006350591.tif 000018
【図１７】
2006350591.tif 000019
【図１８】
2006350591.tif 000020
【図１９】
2006350591.tif 000021
【図２０】
2006350591.tif 000022
【図２１】
2006350591.tif 000023
【図２２】
2006350591.tif 000024
【図２３】
2006350591.tif 000025
【図２４】
2006350591.tif 000026
【図２５】
2006350591.tif 000027
【図２６】
2006350591.tif 000028
【図２７】
2006350591.tif 000029
【図２８】
2006350591.tif 000030
【図２９】
2006350591.tif 000031